(57)【要約】【課題】初流血液を定量採取できると共に、採取、貯留された初流血液を検査器具に流出する際の空気混入を防止できる検査用血液容器および採血器具を提供する。【解決手段】検査用血液容器１は、検査に用いる血液を採取、貯留する容器本体部２と、容器本体部２に血液を流入する血液流入ポート７と、血液流入ポート７と容器本体部２との間に設けられ、容器本体部２に貯留された血液を流出する血液流出ポート８とを備え、容器本体部２は、血液流入ポート７から血液が流入する管状通路３を有し、管状通路３の末端３ｂには、疎水性フィルタ１３を有する排気手段９が設けられていることを特徴とする。【選択図】図１
2010051397.tif 000002
【特許請求の範囲】
【請求項１】
検査に用いる血液を採取、貯留する容器本体部と、
前記容器本体部に血液を流入する血液流入ポートと、
前記血液流入ポートと前記容器本体部との間に設けられ、前記容器本体部に貯留された血液を流出する血液流出ポートとを備え、
前記容器本体部は、前記血液流入ポートから血液が流入する管状通路を有し、
前記管状通路の末端には、疎水性フィルタを有する排気手段が設けられていることを特徴とする検査用血液容器。
【請求項２】
前記容器本体部は、硬質材料で構成されていることを特徴とする請求項１に記載の検査用血液容器。
【請求項３】
前記管状通路は、通路軸方向に所定長さで平行に複数回折り返され、通路軸方向に対して垂直に複数段積み重ねられた形態であることを特徴とする請求項１または請求項２に記載の検査用血液容器。
【請求項４】
前記血液流出ポートは、一端に検査器具を挿入する開口部を有する筒状のホルダーと、前記ホルダーの他端側に装着され、前記容器本体部に連通する中空針を有する針組立体とを備えることを特徴とする請求項１ないし請求項３のいずれか一項に記載の検査用血液容器。
【請求項５】
採血針と、
前記採血針を介して採取された血液を収納する貯留部と、
前記採血針と前記貯留部とを連結する採血ラインと、
前記採血ラインの途中から分岐する分岐ラインと、
前記分岐ラインを介して、前記採血ラインと連通する請求項１ないし請求項４のいずれか一項に記載の検査用血液容器とを備えることを特徴とする採血器具。
【請求項６】
前記貯留部は、血液バッグまたは血液分離器であることを特徴とする請求項５に記載の採血器具。
【発明の詳細な説明】
【技術分野】
【０００１】
本発明は、検査用の血液を採取、貯留する検査用血液容器およびその検査用血液容器を備える採血器具に関するものである。
【背景技術】
【０００２】
通常、血液を採取するには、採血針からチューブを介して血液バッグに血液を採取する採血器具を用いる。この採血器具としては、例えば、特許文献１に記載された採血器具が知られている。
【０００３】
特許文献１に記載された採血器具（血液バッグ）は、採血針と、採血針を介して採取された血液を収納する親バッグと、採血針と親バッグを連結する採血チューブと、採血チューブの途中から分岐した初流血液導入チューブと、初流血液導入チューブを介して採血チューブと連通する採血初流除去バッグ（本発明における検査用血液容器に相当する。以下、除去バッグと称す。）とを備えている。また、除去バッグは、初流血液の入口と出口が形成されたバッグ本体からなり、バッグ本体内部は仕切部によって血液溜と空気溜に区画されている。そして、血液溜には初流血液が採取、貯留され、空気溜には血液溜の空気が収納される。
【０００４】
このような構成の血液バッグでは、ドナー（供血者）から血液を親バッグに採取する前に、すなわち、本採血を行う前に、除去バッグの入口から、ドナーの初流血液を除去バッグ内に採取する。また、採取された初流血液は、除去バッグの出口から減圧採血管等の検査器具に流出され、各種検査の検査用血液として用いられる。
【０００５】
従って、このような構成の血液バッグでは、各種検査に用いられる検査用血液を容易に採取できるという利点がある。また、採血時に皮膚や皮下に存在する細菌が血液の中に混入した場合でも、細菌汚染された初流血液を除去バッグで除去できるため、親バッグ内に採取された血液の細菌汚染を防止することができるという利点がある。
【特許文献１】特開２００８−１３１９６２号公報（請求項１、図１、図２）
【発明の開示】
【発明が解決しようとする課題】
【０００６】
しかしながら、従来の血液バッグでは、作業者（採取者）が、除去バッグへの初流血液の採取を開始し、所定量の初流血液が除去バッグに採取されたことを目視で確認した後に、初流血液の採取を停止する。具体的には、初流血液導入チューブに設けられたクランプを開放した状態で、除去バッグへの初流血液の採取を開始し、初流血液の所定量と同容積に形成されたバッグ本体（除去バッグ）の血液溜が初流血液で満杯になり、初流血液が空気溜へと溢れる瞬間を確認した後に、クランプを閉鎖して除去バッグへの初流血液の採取を停止する。
【０００７】
従って、初流血液の流入停止を手動で行っていたため、クランプを閉じるタイミングが作業者によって異なり、除去バッグ内に採取、貯留される初流血液の量にばらつきが生じるという問題がある。また、除去バッグのバッグ本体が柔軟な合成樹脂シートから構成されたものであるため、合成樹脂シートの伸び、膨らみ等によってバッグ本体（血液溜）の容積が変化し易く、採取、貯留される初流血液の量にばらつきが生じるという問題がある。
【０００８】
また、従来の血液バッグでは、採取、貯留された初流血液を検査器具に流出する際、バッグ本体（空気溜）内に空気が存在するため、血液溜の初流血液に空気溜の空気が混入する恐れがあるという問題がある。
【０００９】
そこで、本発明は、このような問題を解決すべく創案されたもので、その目的は初流血液を定量採取できると共に、採取、貯留された初流血液を検査器具に流出する際の空気混入を防止できる検査用血液容器およびその検査用血液容器を備える採血器具を提供することにある。
【課題を解決するための手段】
【００１０】
前記課題を解決するために、本発明に係る検査用血液容器は、検査に用いる血液を採取、貯留する容器本体部と、前記容器本体部に血液を流入する血液流入ポートと、前記血液流入ポートと前記容器本体部との間に設けられ、前記容器本体部に貯留された血液を流出する血液流出ポートとを備え、前記容器本体部は、前記血液流入ポートから血液が流入する管状通路を有し、前記管状通路の末端には、疎水性フィルタを有する排気手段が設けられていることを特徴とする。
【００１１】
前記構成によれば、容器本体部が管状通路を有することによって、血液流入ポートから流入した血液（初流血液）による容器本体部の膨れ等が防止され、容器本体部の容積変化が少なくなる。そして、流入した初流血液が、管状通路内の空気を通路末端側に押し込みながら（集めながら）、管状通路内を移動する。また、管状通路の末端に疎水性フィルタを有する排気手段を備えることによって、管状通路内の空気が排気手段から外部に（検査用血液容器外に）排出される。すなわち、管状通路内を空気が初流血液に先行して移動し、管状通路内で初流血液と空気が入れ替わり、初流血液内に空気が混入することがない。そして、初流血液が疎水性フィルタ（排気手段）に接すると、管状通路内の空気が全て疎水性フィルタから排出されると同時に、血液流入ポートからの初流血液の流入が自動停止し、空気混入のない所定量の初流血液が管状通路（容器本体部）に採取、貯留される。
【００１２】
また、血液流出ポートから外部（減圧採血管等の検査器具）に初流血液を流出する際には、採取、貯留された初流血液に空気混入がないことに加えて、血液流出ポートを血液流入ポートと容器本体部との間に設けることによって、初流血液の採取の際に初流血液の流入によって空気が排除された部位から、初流血液を流出することとなるため、検査器具に流出した初流血液に空気が混入することがない。
【００１３】
また、本発明に係る検査用血液容器は、前記容器本体部が、硬質材料で構成されていることを特徴とする。
前記構成によれば、容器本体部が硬質材料で構成されていることによって、初流血液による容器本体部の膨れ等がより防止され、容器本体部の容積変化がより少なくなる。
【００１４】
また、本発明に係る検査用血液容器は、前記管状通路が、通路軸方向に所定長さで平行に複数回折り返され、通路軸方向に対して垂直に複数段積み重ねられた形態であることを特徴とする。
前記構成によれば、管状通路が前記形態であることによって、所定量の初流血液を貯留する容器本体部の大きさが小さくなる。
【００１５】
また、本発明に係る検査用血液容器は、前記血液流出ポートが、一端に検査器具を挿入する開口部を有する筒状のホルダーと、前記ホルダーの他端側に装着され、前記容器本体部に連通する中空針を有する針組立体とを備えることを特徴とする。
前記構成によれば、血液流出ポートがホルダーと針組立体とを備えることによって、容器本体部（管状通路）に貯留された初流血液が容易に検査器具（例えば、減圧採血管）に流出する。
【００１６】
本発明に係る採血器具は、採血針と、前記採血針を介して採取された血液を収納する貯留部と、前記採血針と前記貯留部とを連結する採血ラインと、前記採血ラインの途中から分岐する分岐ラインと、前記分岐ラインを介して、前記採血ラインと連通する前記検査用血液容器とを備えることを特徴とする。
前記構成によれば、前記検査用血液容器を備えることによって、空気混入のない所定量の初流血液を採取、貯留できる。
【００１７】
また、本発明に係る採血器具は、前記貯留部が、血液バッグまたは血液分離器であることを特徴とする。
前記構成によれば、貯留部が血液バッグまたは血液分離器であることによって、血液バッグシステムまたは血液成分採取回路として利用できる。
【発明の効果】
【００１８】
本発明に係る検査用血液容器および採血器具によれば、管状通路を有することによって、初流血液の流入による容器本体部の容積変化が少なくなる。また、初流血液が疎水性フィルタに接することによって初流血液の流入が自動停止する。すなわち、作業者の採取血液量の目視確認、および、クランプ等の閉鎖等による血液流入の手動停止を行うことなく、血液流入が自動停止する。その結果、初流血液を定量採取できる。同時に、採取、貯留された初流血液に空気混入がなく、空気が排除された部位に設けられた血液流出ポートから初流血液が流出されるため、検査器具に流出する際の空気混入を防止できる。また、検査用血液容器の管状通路が所定形態であることによって、容器本体部の大きさが小さくなり、検査用血液容器の梱包形態の省スペース化を図ることが可能となる。
【発明を実施するための最良の形態】
【００１９】
本発明に係る検査用血液容器の実施の形態について、図面を参照して詳細に説明する。図１は、検査用血液容器の平面図、図２は図１のＡ−Ａ線断面図、図３は検査用血液容器の血液流出ポート付近および検査器具の断面図、図４は検査用血液容器を用いた採血器具の概略図である。
【００２０】
図１、図２に示すように、検査用血液容器１は、容器本体部２と、血液流入ポート７と、血液流出ポート８と、排気手段９とを備える。
容器本体部２は、その内部に検査に用いられる初流血液を採取、貯留するためのもので、初流血液を貯留する管状通路３を有する。また、管状通路３の先端３ａには、後記する血液流入ポート７が設けられ、管状通路３の末端３ｂには、後記する排気手段９が設けられている。なお、容器本体部２は、ポリカーボネイト、ポリ塩化ビニル等の成形品（硬質材料）で構成することが好ましい。しかしながら、容器本体部２は、成形品で構成する代わりに、管状のチューブで構成したものであってもよい。この場合には、チューブをコイル状に一層または多層に巻いて、隣接するチューブ同士を接着または融着してもよい（図示せず）。
【００２１】
管状通路３は、通路軸方向に所定長さＬで平行に複数回折り返され、通路軸方向に対して垂直に複数段積み重ねられた形態をとることが好ましい。すなわち、管状通路３は、上部管状通路４と、下部管状通路５と、上部管状通路４と下部管状通路５を連通する通路６とからなることが好ましい。そして、上部管状通路４の先端３ａには、血液流入ポート７が設けられ、下部管状通路５の末端３ｂには、排気手段９が設けられている。
【００２２】
管状通路３は、図１、図２では、通路軸方向に対して垂直に２段積み重ねられたものとして図示したが、管状通路３の内部に採取、貯留する初流血液の血液量によって、通路軸方向に対して１段の管状通路（図示せず）、または、通路軸方向に対して３段以上に積み重ねられた管状通路（図示せず）であってもよい。
【００２３】
管状通路３においては、管状通路３（上部管状通路４）の先端３ａに血液流入ポート７を介して初流血液が流入される。そして、流入された初流血液は、通路内の空気を通路６（上部管状通路４の末端）側に押し込みながら上部管状通路４を移動し（空気を初流血液に先行させながら移動し）、通路６を経て、下部管状通路５に流入する。下部管状通路５に流入した初流血液は、上部管状通路４と同様に、通路内の空気を先行させながら、管状通路３（下部管状通路５）の末端３ｂまで移動する。
【００２４】
管状通路３は、その通路内径φが３〜５ｍｍであることが好ましい。通路内径φが３ｍｍ未満であると、管状通路３内への血液流入速度が遅くなり、所定量の初流血液を採取するのに長い時間を要する。また、通路内径φが５ｍｍを超えると、通路内を移動する初流血液と、初流血液に先行する空気が入れ替わり、初流血液内に空気が巻き込まれる（混入する）恐れがある。そして、管状通路３の通路長さは、採取する初流血液の所定量によって決定され、所定量が２５ｍＬの場合には、通路内径φが３ｍｍで通路長さが３．５ｍ程度となる。このとき、容器本体部２の大きさは、８ｃｍ（Ｄ）×１０ｃｍ（Ｌ）×１ｃｍ（Ｈ）となる。
【００２５】
血液流入ポート７は、容器本体部２に連通し、容器本体部２（管状通路３）内に初流血液を流入するためのもので、ポリ塩化ビニル等の合成樹脂で構成された管状体（チューブ）からなり、管状通路３（上部管状通路４）の先端３ａに接続される。そして、管状体（チューブ）の内径は、後記する採血器具５１（図４参照）の分岐チューブ６０と同一径であることが好ましい。
【００２６】
血液流出ポート８は、容器本体部２に連通し、容器本体部２（管状通路３）内に採取（貯留）された初流血液を後記する検査器具（例えば減圧採血管７０、図３参照）に流出するためのもので、血液流入ポート７と容器本体部２との間に設けられる。また、血液流出ポート８は、血液流入ポート７と同様に、ポリ塩化ビニル等の合成樹脂からなる管状体（チューブ）からなる。そして、血液流出ポート８は、検査器具（例えば、減圧採血管７０）と接続するためのサンプリングポート１４を備えている。
【００２７】
図３に示すように、サンプリングポート１４は、針組立体１６と、ホルダー１５を備えている。針組立体１６は、先端に鋭利な針先を有する金属、硬質樹脂等からなる中空針１７と、中空針１７の基端部に固着されたポリオレフィン等からなるハブ１８と、中空針１７を被包するゴム鞘１９とで構成されている。そして、ハブ１８が前記検査用血液容器１の血液流出ポート８に接続され、中空針１７は容器本体部２と連通している。ホルダー１５は、一端に減圧採血管７０を挿入する開口部１５ａを有するポリオレフィン等からなる筒状の部材である。このホルダー１５の他端１５ｂは、前記針組立体１６の中空針１７の外周側に設置され、当該中空針１７と同心的に、ハブ１８に接合されている。
【００２８】
血液流入ポート７および血液流出ポート８は、図１に示すように、分岐チューブ６０と容器本体部２（管状通路３）とを接続するト字状の分岐管で構成することが好ましい。このような分岐管の使用により、血液流入ポート７と血液流出ポート８が一体で構成されることとなり、部品点数を少なくすることが可能となる。
【００２９】
図１に示すように、排気手段９は、容器本体部２（管状通路３）内の空気を外部に排出するためのもので、管状通路３（下部管状通路５）の末端３ｂに設けられている。排気手段９が管状通路３の末端３ｂに設けられていることによって、管状通路３内の空気が、採取された初流血液に先行し、初流血液に空気が混入する（巻き込む）ことがなくなる。排気手段９は、疎水性フィルタ１３を有するもので、具体的には、流入口１２、流出口１１を有するハウジング１０内に疎水性フィルタ１３を備えたものである。しかしながら、排気手段９の形態は、図１の形態に限定されず、管状通路３の末端３ｂの内部に疎水性フィルタ１３を配置した形態でもよい。
【００３０】
疎水性フィルタ１３は、疎水性多孔体、疎水性不織布から構成され、気体（空気）は透過するが液体（初流血液）は透過しない性質を有するものである。このような疎水性フィルタ１３の性質によって、初流血液に先行した管状通路３内の空気が、順次、排気手段９（疎水性フィルタ１３、流出口１１）を介して外部（容器本体部２の外）に排出されるため、流入した初流血液は管状通路３の先端３ａから末端３ｂに移動する。そして、管状通路３内を移動してきた初流血液が疎水性フィルタ１３に接すると（到達すると）、管状通路３内の空気が全て排出され、初流血液の移動空間がなくなるため、血液流入ポート７からの管状通路３内への初流血液の流入が自動停止する。
【００３１】
次に、本発明に係る採血器具について説明する。
図４に示すように、採血器具５１（血液バッグシステム）は、採血針５３と、採血針５３を介して採取された血液を収納する採血バッグ５２（貯留部、血液バッグ）と、採血針５３と採血バッグ５２とを連結する採血ラインと、採血ラインの途中から分岐する分岐ラインと、分岐ラインを介して、採血ラインと連通する初流血液（検査に用いられる血液）を採取、貯留する検査用血液容器１とを備えている。以下、各構成について説明する。なお、検査用血液容器１については前記のとおりであるので、説明を省略する。
【００３２】
採血針５３は、先端に鋭利な針先を有する金属、硬質樹脂等からなる中空針５３ａと、中空針５３ａの基端部に固着されたポリオレフィン等からなるハブ５３ｂと、中空針５３ａを被包する硬質樹脂等からなるプロテクタ５３ｃとで構成されている。
【００３３】
採血バッグ５２は、ポリ塩化ビニル等からなる樹脂シートを重ね、その周縁を融着または接着した袋状容器であって、その内部には、後記する血液処理方法で示すように、採血針５３から採取された血液から初流血液を除去（採取）した後の血液が収納される。また、採血バッグ５２の内部には、あらかじめ抗凝固剤が収納されていることが好ましい。
【００３４】
採血バッグ５２の上部には、封止部材５５を介してチューブ５４の一端が接続されている。そして、チューブ５４の他端には、図示しないが、白血球除去フィルタと、回収バッグ、血漿バッグ、赤血球保存液入りバッグ等の血液バッグとが接続されている。なお、白血球除去フィルタとしては、従来公知のフィルタが使用され、回収バッグ、血漿バッグ、赤血球保存液入りバッグは採血バッグ５２と同様なポリ塩化ビニル等からなる袋状容器である。
【００３５】
また、採血バッグ５２の上部には、チューブ５８の一端が接続されている。そして、チューブ５８の他端は、分岐コネクタ５６に接続され、分岐コネクタ５６はチューブ５７を介して採血針５３（ハブ５３ｂ）に接続されている。したがって、チューブ５７、５８と分岐コネクタ５６とで前記採血ラインが構成され、採血ラインを介して、採血バッグ５２と採血針５３とが連結されている。また、分岐コネクタ５６には、一端が検査用血液容器１に接続された分岐チューブ６０の他端が接続され、採血ラインの途中から分岐する分岐ラインを構成し、分岐ラインを介して、検査用血液容器１が採血ラインに連通している。また、分岐コネクタ５６とチューブ５８の間には、初流血液を分岐チューブ６０で検査用血液容器１に採取する際、採血バッグ５２側のチューブ５８に初流血液が流入しないように、封止部材５９が設けられている。さらに、分岐チューブ６０には、初流血液の採血流路を閉塞するために、クレンメ６１が設けられている。
【００３６】
なお、封止部材５５、５９は、短チューブと、その内部に流路を閉塞するように収納された中実先端部を有する筒体とからなり（図示せず）、筒体の中実先端部を破断することによって、短チューブ内の通路を開通させる部材である。また、短チューブはポリ塩化ビニル等の軟質材料で構成され、筒体はポリカーボネイト等の硬質材料で構成されている。なお、分岐コネクタ５６、チューブ５４、５７、５８、分岐チューブ６０は、ポリ塩化ビニル等から構成されている。
【００３７】
次に、前記した検査用血液容器および採血器具を用いた血液処理方法について説明する。
まず、図４に示すように、採血器具５１では、クレンメ６１が開放状態となっているため、分岐チューブ６０の採血流路は開放された状態となっている。そして、チューブ５８の採血流路は、封止部材５９により閉塞した状態となっている。
【００３８】
この状態で、ドナーの静脈に採血針５３を穿刺する。これにより、初流血液は、採血針５３、チューブ５７、分岐コネクタ５６を経て、分岐チューブ６０へ流入し、検査用血液容器１内に採取される。この場合、チューブ５８の採血流路は、前記したように、封止部材５９で遮断されているので、初流血液は、チューブ５７から分岐コネクタ５６を経て分岐チューブ６０に確実に流れ込む。そして、チューブ５７、分岐コネクタ５６および分岐チューブ６０内の空気は、初流血液の流入に先立って、検査用血液容器１（容器本体部２）内に排出される。
【００３９】
検査用血液容器１では、容器本体部２内の空気が排気手段９（疎水性フィルタ１３、図１参照）を介して排気されつつ、容器本体部２内に初流血液が流入する。そして、初流血液の流入は、容器本体部２内に流入された初流血液が排気手段９（疎水性フィルタ１３）に接した時点で停止する。これにより、容器本体部２内に所定量の初流血液が採取、貯留されることとなる。この後、クレンメ６１を閉じて、分岐チューブ６０の採血流路を閉塞状態にしてもよい。
【００４０】
次いで、採血バッグ５２への採血（本採血）を開始する。
この場合、封止部材５９の中実先端部（図示せず）を破断することによって、封止部材５９内の流路を開通させる。この操作により、チューブ５８の採血流路が開通状態となり、チューブ５７とチューブ５８が連通する。これにより、採血された血液が、チューブ５７、分岐コネクタ５６、封止部材５９およびチューブ５８を介して、採血バッグ５２内に流入する。
【００４１】
また、ドナーや採血の状態を見て可能であれば、この採血バッグ５２への採血と並行して、検査用血液容器１内に貯留された初流血液を減圧採血管７０等の検査器具（図３参照）にサンプリングする。なお、このサンプリングは、本採血の終了後に行ってもよい。この場合には、クレンメ６１を閉じて、分岐チューブ６０の流路を閉塞状態にする。
【００４２】
サンプリングを行うには、図３に示すように、サンプリングポート１４（ホルダー１５）に減圧採血管７０を挿入して、ホルダー１５の最奥部まで押し込み、中空針１７を減圧採血管７０のゴム栓７１に穿刺し、貫通させる。これにより、検査用血液容器１内に貯留された初流血液が、減圧採血管７０内に吸引され、サンプリングされる。このとき、検査用血液容器１では、外部から容器本体部２へ排気手段９を介して空気が流入し、容器本体部２に貯留された初流血液の減圧採血管７０への流出を容易にしている（図４参照）。そして、初流血液のサンプリング後、減圧採血管７０をサンプリングポート１４から抜去する。なお、複数本の減圧採血管７０への初流血液のサンプリングを行う場合には、この操作を繰り返す。
【００４３】
なお、図４に示すように、採血バッグ５２への採血において、血液を採血バッグ５２に所定量採血した後、ドナーの静脈から採血針５３を抜き取り、必要に応じて、チューブシーラー等により、チューブ５８、分岐チューブ６０を融着して封止する。その後、検査用血液容器１、採血針５３を切り離す。これにより、初流血液の除去された血液が収納された採血バッグ５２が得られる。
【００４４】
また、採血バッグ５２に収納された血液は、図示しないが、白血球除去フィルタに通して、白血球および血小板を分離し、残りの血液成分を回収バッグに回収して、採血バッグ５２および白血球除去フィルタを切り離す。その後、回収バッグ内の血液を遠心分離して、赤血球層と血漿層に分離し、血漿を血漿バッグに移行した後、回収バッグに残った濃厚赤血球に赤血球保存液入りバッグ内の赤血球保存液を添加して混和する。
【００４５】
以上、本発明の検査用血液容器および採血器具の実施形態について説明したが、本発明は、前記実施形態に限定されるものではなく、例えば、本発明の採血器具では、貯留部として、血液バッグの代わりに、血液分離器（例えば、遠心分離器、膜型分離器）が設けられていてもよい。すなわち、採血器具は、血液バッグシステムに限らず、血液成分採取回路であってもよい。
【図面の簡単な説明】
【００４６】
【図１】本発明に係る検査用血液容器の平面図である。
【図２】図１のＡ−Ａ線断面図である。
【図３】本発明に係る検査用血液容器の血液流出ポート付近および検査器具の断面図である。
【図４】検査用血液容器を用いた採血器具の概略図である。
【符号の説明】
【００４７】
１      検査用血液容器
２      容器本体部
３      管状通路
３ａ    先端
３ｂ    末端
７      血液流入ポート
８      血液流出ポート
９      排気手段
５１    採血器具
５２    採血バッグ（貯留部）
５３    採血針
【図１】
2010051397.tif 000003
【図２】
2010051397.tif 000004
【図３】
2010051397.tif 000005
【図４】
2010051397.tif 000006